(57)【特許請求の範囲】
【請求項１】
対向するように配置される略平坦な一対の被取付面の間に着脱自在に取り付けられるように構成された着脱式パネル装置において、
パネル部と、
少なくとも一方の前記被取付面に付勢力を与えるように前記パネル部に支持された付勢手段と、
を備え、
該付勢手段は、気体を充填することにより膨張可能に構成された袋体を有し、
該袋体の内部には、該袋体の、付勢方向以外の方向への膨張を抑制する、紐状部材が配置されている、
ことを特徴とする着脱式パネル装置。
【請求項２】
前記付勢手段は、前記パネル部の縁部から離間する方向に前記袋体を付勢するスプリング部材を有する、
ことを特徴とする請求項１に記載の着脱式パネル装置。
【請求項３】
前記スプリング部材は、前記パネル部と前記袋体との間に圧縮された状態で配置されたコイルスプリングである、
ことを特徴とする請求項２に記載の着脱式パネル装置。
【請求項４】
前記スプリング部材のストロークについての情報を出力するストローク情報出力手段、
を備えたことを特徴とする請求項２又は３に記載の着脱式パネル装置。
【請求項５】
前記ストローク情報出力手段は、前記スプリング部材が前記袋体の方向へ所定量以上のストロークをした場合には前記袋体の膨張不足であるという情報を出力し、前記スプリング部材が前記パネル部の方向へ所定量以上のストロークをした場合には前記袋体が膨張過多であるという情報を出力するように構成された、
ことを特徴とする請求項４に記載の着脱式パネル装置。
【請求項６】
前記ストローク情報出力手段は、前記スプリング部材のストロークを表示するストローク表示器である、
ことを特徴とする請求項４又は５に記載の着脱式パネル装置。
【発明の詳細な説明】
【技術分野】
【０００１】
本発明は、対向するように配置される略平坦な一対の被取付面の間に着脱自在に取り付けられるように構成された着脱式パネル装置に関する。
【背景技術】
【０００２】
従来、着脱自在に取り付けられるように構成された着脱式パネル装置については種々の構造のものが提案されている（例えば、特許文献１参照）。
【０００３】
図６は、該着脱式パネル装置の従来構造の一例を示す断面図であり、符号１００は、建物の天井側に配置される部材を示し、符号１０１は、該建物の床側に配置される部材を示し、符号１０２は、大きな部屋を複数の部屋に仕切るための可動間仕切り壁（パネル部）を示し、符号１０３は、締め付けボルトを示している。そして、該可動間仕切り壁１０２は該締め付けボルト１０３によって固定されるように構成されていた。このような着脱式パネル装置によれば、前記可動間仕切り壁１０２を移動させることで部屋の大きさをニーズに合わせて自由に変更することができるという効果がある。また、このような構成のパネル装置は、間仕切り壁だけでなく、着脱可能な棚板等にも応用することができ、様々な可能性を持っている。
【先行技術文献】
【特許文献】
【０００４】
【特許文献１】特開平９−１３５５５号公報
【発明の概要】
【発明が解決しようとする課題】
【０００５】
しかしながら、上述の構成のパネル装置の場合、締め付けボルト１０３によって固定するようになっているため、その固定部分に大きな力（例えば、地震による力や、床又は天井を撓ませるような何らかの力）が作用すると建物の側にボルト１０３の跡が傷として残り易いという問題があった。また、該ボルト１０３が接触している部分（建物の一部）が損傷したり、逆に、該ボルト１０３や該ボルト１０３を支持している部分（パネル装置の一部）が損傷したりするというおそれがあった。
【０００６】
本発明は、上述の問題を解消することのできる着脱式パネル装置を提供することを目的とするものである。
【課題を解決するための手段】
【０００７】
請求項１に係る発明は、図１（ａ）〜（ｃ）に例示するものであって、対向するように配置される略平坦な一対の被取付面（Ａ１，Ａ２）の間に着脱自在に取り付けられるように構成された着脱式パネル装置（Ｂ１）において、
パネル部（２）と、
少なくとも一方の前記被取付面（Ａ２）に付勢力を与えるように前記パネル部（２）に支持された付勢手段（３）と、
を備え、
該付勢手段（３）は、気体を充填することにより膨張可能に構成された袋体（３０）を有し、
該袋体（３０）の内部には、該袋体（３０）の、付勢方向以外の方向への膨張を抑制する、紐状部材が配置されている、
ことを特徴とする。
【０００８】
請求項２に係る発明は、図５（ａ）（ｂ）に例示するものであって、請求項１に係る発明において、前記付勢手段（３）が、前記パネル部（２）の縁部（２ｂ）から離間する方向に前記袋体（３０）を付勢するスプリング部材（３１）を有することを特徴とする。
【０００９】
請求項３に係る発明は、請求項２に係る発明において、前記スプリング部材（３１）が、前記パネル部（２）と前記袋体（３０）との間に圧縮された状態で配置されたコイルスプリングであることを特徴とする。
【００１０】
請求項４に係る発明は、図５（ｃ）に例示するものであって、請求項２又は３に記載の発明において、前記スプリング部材（３１）のストロークについての情報を出力するストローク情報出力手段（４）、を備えたことを特徴とする。
【００１１】
請求項５に係る発明は、請求項４に記載の発明において、前記ストローク情報出力手段（４）が、前記スプリング部材（３１）が前記袋体（３０）の方向へ所定量以上のストロークをした場合には前記袋体（３０）の膨張不足であるという情報を出力し、前記スプリング部材（３１）が前記パネル部（２）の方向（ｚ）へ所定量以上のストロークをした場合には前記袋体（３０）が膨張過多であるという情報を出力するように構成されたことを特徴とする。
【００１２】
請求項６に係る発明は、請求項４又は５に記載の発明において、前記ストローク情報出力手段（４）が、前記スプリング部材（３１）のストロークを表示するストローク表示器であることを特徴とする。
【００１３】
なお、括弧内の番号などは、図面における対応する要素を示す便宜的なものであり、従って、本記述は図面上の記載に限定拘束されるものではない。
【発明の効果】
【００１４】
請求項１に係る発明によれば、前記被取付面には前記袋体が付勢されることとなるので、該被取付面に傷が付くことを防止できる。
【００１５】
請求項２及び３に係る発明によれば、仮に前記袋体から気体が抜けたとしても、前記スプリング部材の付勢力（バネ力）が該袋体を介して前記被取付面に作用することとなり、前記パネル部の脱落を防止することができる。
【００１６】
請求項４及び６に係る発明によれば、前記袋体の気体の漏れを容易に知ることができる。
【００１７】
請求項５に係る発明によれば、前記袋体が膨張不足であるという情報だけでなく、該袋体が膨張過多（過剰膨張の状態）であるという情報をも得ることができる。
【図面の簡単な説明】
【００１８】
【図１】図１（ａ）は、本発明に係る着脱式パネル装置の構成の一例を示す断面図であり、同図（ｂ）は、その要部を示す拡大断面図であり、同図（ｃ）は、その分解斜視図である。
【図２】図２（ａ）は、本発明に係る着脱式パネル装置の取付状態の一例を示す断面図であり、同図（ｂ）は、本発明に係る着脱式パネル装置の取付状態の他の例を示す断面図である。
【図３】図３は、本発明に係る着脱式パネル装置の取付状態の一例を示す断面図である。
【図４】図４（ａ）は、本発明に係る着脱式パネル装置の構成の一例を示す断面図であり、同図（ｂ）は、本発明に係る着脱式パネル装置の構成の他の例を示す断面図である。
【図５】図５（ａ）は、本発明に係る着脱式パネル装置の構成の一例を示す断面図であり、同図（ｂ）は、袋体から気体が漏れた状態の一例を示す断面図であり、同図（ｃ）は、本発明に係る着脱式パネル装置の要部の構成の一例を示す拡大側面図である。
【図６】図６は、着脱式パネル装置の従来構造の一例を示す断面図である。
【発明を実施するための形態】
【００１９】
以下、図１乃至図５に沿って、本発明の実施の形態について説明する。
【００２０】
本発明に係る着脱式パネル装置は、図１（ａ）に符号Ｂ１で例示するものであって、互いに対向するように配置される略平坦な一対の被取付面Ａ１，Ａ２の間に着脱自在に取り付けられるように構成されており、
・  パネル部２と、
・  少なくとも一方の前記被取付面Ａ１及び／又はＡ２に付勢力を与えるように前記パネル部２に支持された付勢手段３と、
を備えており、該付勢手段３は、気体を充填することにより膨張可能に構成された袋体（ゴム膨張管）３０を有している。
【００２１】
＜被取付面＞
なお、前記一対の被取付面は互いに対向するように配置されたものであるが、その“互いに対向する”状態とは、
・  図２（ａ）に符号Ａ１，Ａ２で例示するように略平行に配置されている状態だけでなく、
・  図２（ｂ）に符号Ａ１’，Ａ２’で例示するように、所定の角度（水平面内の水平角度や、鉛直面内の鉛直角度）を為すように配置されている状態
も含むものである。また、これらの被取付面Ａ１，Ａ２，…は、平坦（平滑）なものに限らず、多少の凹凸（不陸）や段差やうねり（湾曲面）があっても良い。さらに、該被取付面Ａ１，Ａ２としては、建物の構造部材の何らかの面（例えば、天井面や床面や壁面や柱面や梁面など）を想定しているが、もちろんこれに限られるものではなく、建物以外のものの何らかの面（例えば、車両の天井面や床面など）を除外するものではない。
【００２２】
＜パネル部＞
一方、前記パネル部２としては、紙材や材木や樹脂材や金属等の公知の材料で板状に形成されたものを挙げることができるが、それらの材料で枠状に形成されたもの（例えば、網戸）やその他の形状のもの（例えば、面格子や、複数の部材を組み付けて構成されるような構造体）を本発明の範囲から除外するものではない。本発明に係る着脱式パネル装置は、建物において部屋を仕切るように配置された場合には内壁として利用することができ、略水平に配置された場合には棚板としても利用することができる。その他、本棚や食器棚等の家具と天井との間に配置して、家具の倒れ防止のためにも使用できる。このパネル部２は、エレベータ等で運搬できる程度の寸法にすれば良く、該パネル２どうしの接続においても前記袋体３０を使用すれば良い（図３参照）。
【００２３】
本発明によれば、前記一対の被取付面Ａ１，Ａ２の間にて該被取付面Ａ１，Ａ２に略直交するように前記パネル装置Ｂ１を配置した状態で前記袋体３０を膨張させることにより、前記パネル部２を前記一対の被取付面Ａ１，Ａ２に固定することができる。また、該被取付面Ａ２に付勢されるのは柔軟な袋体３０であるので（つまり、硬いビス等は付勢されないので）、何らかの大きな力（例えば、地震による力や、床又は天井を撓ませるような何らかの力）が作用したとしても該被取付面Ａ２に傷が付くことや建物の損傷等を防止できる。さらに、前記被取付面Ａ１，Ａ２の表面形状に前記袋体３０を追随させることができるので、完全に平坦ではなく多少の凹凸や段差や波打ちがある被取付面であっても取り付けることが可能となる。したがって、ケーブル（例えば、電源コードやＬＡＮケーブルなど）や何らかのパイプが前記被取付面Ａ１，Ａ２の表面に沿って配置されることで多少の凹凸が形成されている場合でも、前記パネル装置Ｂ１を取り付けることができる。また、それらのケーブル等を通すための貫通孔を前記パネル部２に穿設する必要もなく、その分、作業の簡素化を図ることができる。またさらに、ビスを使用する場合と違って付勢力が分散されるので、前記被取付面Ａ１，Ａ２が凹みやすい構造又は材料であっても前記パネル装置Ｂ１を取り付けることができる。
【００２４】
ところで、前記パネル部２が締め付けボルトによって固定されている場合、温度変化によって前記被取付面Ａ１，Ａ２が伸縮すると該締め付けボルトの接触部分で“きしみ音”が発生してしまうおそれがある。しかし、本発明によれば、前記被取付面Ａ１，Ａ２に当接されるのは柔軟な前記袋体３０であるため、ボルト等が当接される場合に比べてきしみ音を低減することができる。
【００２５】
＜付勢手段の配置位置＞
ここで、前記付勢手段３は、前記パネル部２の縁部２ａ，２ｂ，…に当接するように配置されていても、或いは、何らかのブラケット（不図示）を介して該パネル部２に支持されていても良い。また、該付勢手段３は、前記パネル部２の全周縁に配置されている必要はなく、少なくとも一部に配置されていれば良い。例えば、前記パネル部２が略矩形状をしている場合には、図１（ａ）に例示するように、前記付勢手段３は１つの縁部２ｂに沿うように配置されていても、図４（ａ）に例示するように、２つの縁部２ａ，２ｂに沿うように配置されていても良い。なお、前記パネル部２が略矩形状をしている場合には、図４（ｂ）に例示するように前記付勢手段３を上側の縁部２ａに配置するよりも、図１（ａ）等に例示するように前記付勢手段３を下側の縁部２ｂに配置した方が良い。そのようにした方が、該付勢手段３の袋体３０に気体を充填し易いからである。また、図５（ｃ）に例示するようなストローク情報出力手段４を設ける場合には下側の縁部２ｂに配置されている方が該手段４の表示を見やすいからである。その場合（つまり、前記付勢手段３を前記パネル部２の下側の縁部２ｂに設ける場合）には、図１（ｂ）に示すように、前記袋体３０を隠すための部材（断面が略Ｌ字形などの部材）３２を配置しておけば良い。なお、このような部材３２は、前記パネル部２にはビス等で固定しても良いが、傷つき防止のために前記被取付面Ａ２には固定しない方が好ましい。また、前記パネル部２の縁部２ａ，２ｂに溝（凹部）を形成しておいて、前記袋体３０の一部を該溝（凹部）に収納するようにしても良い。さらに、該袋体３０と前記パネル部２の縁部２ａ，２ｂとは接着等の公知の方法により接続するようにしても良い。またさらに、前記付勢手段３（つまり、前記袋体３０）を配置しない方の縁部２ａには柔らかい材料のものを配置しておいて、前記被取付面Ａ１に傷が付かないようにしておくと良い。
【００２６】
＜袋体＞
前記袋体３０は、図１（ｃ）に例示するように、前記パネル部２の縁部２ａ，２ｂ，…に沿って連続的に配置されていることが好ましいが、断続的に分割された状態で配置されている態様を本発明の範囲から除外するものではない。また、前記袋体３０に封入（充填）する気体としては、空気が好ましいが、空気以外の気体を排除するものではない。さらに、該袋体３０は、伸縮可能なゴム膜や樹脂膜で形成されていると良い。またさらに、該袋体３０の内部には図１（ｂ）に符号３０ａで示すような紐状（芯状）のものを配置しておいて、該袋体３０が付勢方向（ｚ方向と逆の方向）には膨らむが横方向ｙには膨らみ過ぎないようにすると良い。また、そのような紐状（芯状）のものを該袋体３０の内部であって長手方向（ｘ方向）にも配置しておいて、該袋体３０が該長手方向に膨らみ過ぎないようにしても良い。さらに、該袋体３０の膜自体に芯材やメッシュ部材を埋め込んでおいて、ほぼ同様の効果が得られるようにしても良い。またさらに、そのような芯材等の埋め込みやノーパンクタイヤの構造などを利用することによってパンク防止を図るようにすると良い。また、特許第５３９６０２６号公報に記載されているような可撓筒体（膨張リミッター）をこの袋体３０に被せて、該袋体３０が所定以上に膨張しないようにしておくと良い。さらに、摩擦係数が高い材質もの（例えば、ゴム膜）をこの袋体３０に被せて、前記被取付面Ａ１，Ａ２との間に生じる摩擦力を大きくするようにすると良い。またさらに、前記袋体３０への気体（空気）の充填は、手動式又は動力式のポンプやボンベを使って行うようにすると良い。それらのポンプやボンベは前記着脱式パネル装置とは別体で設けておいても良いが、該着脱式パネル装置自体に設けておいても良い。
【００２７】
＜スプリング部材＞
前記付勢手段３は、図５（ａ）〜（ｃ）に符号３１で例示するように、前記パネル部２の前記縁部（図では縁部２ｂ）から離間する方向（つまり、ｚ方向とは逆の方向）に前記袋体３０を付勢するスプリング部材を有するようにすると良い。このようなスプリング部材３１を設けた場合には、仮に前記袋体３０から気体（空気）が抜けたとしても、図５（ｂ）に例示するように前記スプリング部材３１の付勢力（バネ力）が該袋体３０を介して前記被取付面Ａ２に作用することとなり、前記パネル部２の脱落を防止することができる。ここで、該スプリング部材３１としては、前記パネル部２と前記袋体３０との間に圧縮された状態で配置されるコイルスプリングを挙げることができるが、前記パネル部２の前記縁部から離間する方向に前記袋体３０を付勢するものであれば、コイルスプリング以外のスプリング（例えば、板バネ）であっても良い。
【００２８】
＜ストローク情報出力手段＞
一方、本発明に係る着脱式パネル装置Ｂ５は、図５（ｃ）に符号４で例示するように、前記スプリング部材３１のストロークについての情報を出力するストローク情報出力手段を備えていると良い。そのようにした場合には、前記袋体３０の気体の漏れを容易に知ることができる。ここで、“ストロークについての情報”には、
・  ストローク量についての情報だけでなく、
・  ストロークの方向についての情報（つまり、前記被取付面Ａ２に近づく方向か、或いは該被取付面Ａ２から遠ざかる方向かについての情報）
も含むようにすると良い。すなわち、前記ストローク情報出力手段４は、
・  前記スプリング部材３１が前記袋体３０の方向（ｚ方向とは逆の方向）へ所定量以上のストロークをした場合（つまり、該スプリング部材３１の該袋体３０の方向へのストロークが所定量以上になった場合）には前記袋体３０の膨張不足であるという情報を出力し、
・  前記スプリング部材３１が前記パネル部２の方向（ｚ方向）へ所定量以上のストロークをした場合（つまり、該スプリング部材３１の該パネル部２の方向へのストロークが所定量以上になった場合）には前記袋体３０が膨張過多（過剰膨張の状態）であるという情報を出力する、
ように構成すると良い。そのようにした場合には、前記袋体３０が膨張不足であるという情報だけでなく、該袋体３０が膨張過多（過剰膨張の状態）であるという情報をも得ることが可能となる。例えば、該ストローク情報出力手段を、図５（ｃ）に符号４で例示するように、前記スプリング部材３１のストロークを視覚的に表示するストローク表示器とするために、
・  前記スプリング部材３１と一緒にストロークする指針４０と、
・  該指針４０の移動を許容するためのスリット部（前記スプリング部材３１を囲繞するように配置された円筒状部材に形成されたスリット部）４１と、
・  該円筒状部材にて前記スリット部４１に沿うように形成された目盛り部４２と、
を設けるようにすると良く、さらに、該目盛り部４２では、
・  前記袋体３０が膨張不足であることを示す目盛りゾーン（例えば、イエローゾーンとかレッドゾーン）と、
・  該袋体３０の気体圧力が適正であることを示す目盛りゾーン（例えば、グリーンゾーン）と、
・  該袋体３０が膨張過多であることを示す目盛りゾーン（例えば、イエローゾーンとかレッドゾーン）と、
を設けておくと良い。なお、このような構造以外に、
・  電気的なセンサーを使って検知した値をデジタル表示するようにした形式のものや、
・  視覚的に表示するだけでなく、ブザー等により音で出力するようにしたもの、
を前記ストローク情報出力手段として用いても良い。
【符号の説明】
【００２９】
２                  パネル部
２ａ，２ｂ          パネル部の縁部
３                  付勢手段
４                  ストローク情報出力手段
３０                袋体
３１                スプリング部材
Ａ１，Ａ２          被取付面
Ｂ１，…            着脱式パネル装置
【図１】
0006466207.tif 000002
【図２】
0006466207.tif 000003
【図３】
0006466207.tif 000004
【図４】
0006466207.tif 000005
【図５】
0006466207.tif 000006
【図６】
0006466207.tif 000007